(57)【要約】【課題】文字盤の端部に形成された意匠部を立体的に表示すると共に、該意匠部の視認性が向上された表示装置を提供する。【解決手段】光源と、該光源から照射された光を導光する導光部と、該導光部から出射された光によって照明される文字盤と、を備え、光源から照射される光の照射方向において、光源と、導光部と、文字盤とが順次並んで配置された表示装置であって、文字盤は、平板状の半透過板と、該半透過板の一面の端部に形成された不透過の意匠部と、を有し、導光部は、導光した光を文字盤に出射する出射部と、光源から照射された光を出射部に導光する入射部と、を有し、半透過板に、指針を支える軸を挿通するための挿通孔が形成され、入射部は、照射方向において、挿通孔と対向するように、出射部の端部に設けられ、半透過板の透過率が、挿通孔から意匠部に向かう方向に徐々に高まるように形成されている。【選択図】図７
2011163864.tif 000002
【特許請求の範囲】
【請求項１】
光源と、
該光源から照射された光を導光する導光部と、
該導光部から出射された光によって照明される文字盤と、を備え、
前記光源から照射される光の照射方向において、前記光源と、前記導光部と、前記文字盤とが順次並んで配置された表示装置であって、
前記文字盤は、平板状の半透過板と、該半透過板の一面の端部に形成された不透過の意匠部と、を有し、
前記導光部は、導光した光を前記文字盤に出射する出射部と、前記光源から照射された光を前記出射部に導光する入射部と、を有し、
前記半透過板に、回動することで、前記意匠部を指す指針が配置され、
前記半透過板に、前記指針を支える軸を挿通するための挿通孔が、前記半透過板の一面とその裏面とを貫くように形成され、
前記入射部は、前記照射方向において、前記挿通孔と対向するように、前記出射部の端部に設けられ、
前記半透過板の透過率が、前記挿通孔から前記意匠部に向かう方向に徐々に高まるように形成されていることを特徴とする表示装置。
【請求項２】
前記入射部の光源側の面が平坦であり、
前記入射部の照射方向の長さが前記挿通孔から前記意匠部に向かう方向に徐々に長くなるように、前記入射部の文字盤側の面が傾斜しており、
前記出射部の文字盤側の面が平坦であり、
前記出射部の照射方向の長さが前記挿通孔から前記意匠部に向かう方向に徐々に短くなるように、前記出射部の光源側の面が傾斜しており、
前記出射部の前記光源側の面の傾斜の変化量が、前記挿通孔から前記意匠部に向かう方向に徐々に小さくなることを特徴とする請求項１に記載の表示装置。
【請求項３】
前記半透過板の平面形状は扇状を成し、その扇の中心を貫くように前記挿通孔が前記半透過板に形成され、扇を形作る円弧状の端部に沿って、複数の前記意匠部が順次並んで配置されており、
前記導光部の平面形状が扇状を成し、その扇の中心に前記入射部が設けられていることを特徴とする請求項１又は請求項２に記載の表示装置。
【請求項４】
前記半透過板の一面に、前記挿通孔から前記意匠部に向かって放射状に延びる仮想直線に沿うマークが複数形成されていることを特徴とする請求項１〜３いずれか１項に記載の表示装置。
【請求項５】
前記マークにおける、前記指針の回動方向に沿う長さが、前記挿通孔から前記意匠部に向かって徐々に長くなることを特徴とする請求項４に記載の表示装置。
【請求項６】
平板状のシートが、前記出射部を介して、前記半透過板と対向する位置に設けられており、
前記シートにおける前記出射部との対向面に、前記挿通孔から前記意匠部に向かう方向に、光の反射率が徐々に高まる模様が形成されていることを特徴とする請求項１〜５いずれか１項に記載の表示装置。
【請求項７】
車両に適用されることを特徴とする請求項１〜６いずれか１項に記載の表示装置。
【請求項８】
前記意匠部は、車両速度を表示するための数字であることを特徴とする請求項７に記載の表示装置。
【請求項９】
前記意匠部は、エンジン回転数を表示するための数字であることを特徴とする請求項７に記載の表示装置。
【発明の詳細な説明】
【技術分野】
【０００１】
本発明は、光源と、該光源から照射された光を導光する導光部と、該導光部から出射された光によって照明される文字盤と、を備える表示装置に関するものである。
【背景技術】
【０００２】
従来、例えば特許文献１に示されるように、光源と、プリズムと、表示板とを備える表示装置が提案されている。この表示装置では、光源から照射された光がプリズムによって導光され、プリズムから出射された光によって表示板が照明されるように、光源と、プリズムと、表示板とが順次並んで配置されている。
【０００３】
上記したプリズムは、特許文献１の図２に示されるように特殊な形状を成しており、表示板側から光源側に向かって一部が凹んだ形状となっている。この凹んだ部位（凹部）は、底部と底部の周囲に形成された側壁とから成る。底部の輪郭形状は楕円形とされ、光源から照射される光の照射方向に沿う断面形状が矩形状とされている。これに対して、側壁の輪郭形状はリング状とされ、照射方向に沿う断面形状が扇状とされている。このような断面形状の場合、底部から出射される光の出射角度は一定となるが、側壁から出射される光の出射角度は、側壁の断面形状に依存することとなる。したがって、凹部の底部からは均一照度の光が出射されるが、凹部の側壁からは側壁の断面形状に依存する照度の光が出射されることとなる。
【０００４】
上記した側壁の内周面は、側壁内部に入射した光の進行方向と、側壁の内周面に垂直な線（垂線）とが成す光の入射角度が、側壁の内周側から外周側に向かうに従って徐々に小さくなる曲面形状となっている。したがって、上記した光の入射角度が、光の臨界角を超える場合、側壁の内周面からは光が出射されず、この曲面から出射される光の照度がゼロとなる。これに対して、光の入射角度が光の臨界角を下回る場合、光の入射角度が小さくなるにつれて側壁の内周面から出射される光の量が増大する。したがって、この曲面から出射される光の照度は、光の臨界角を下回る部位からプリズムの外周側に向かうに従って徐々に増大することとなる。
【０００５】
以上により、観測者が、表示板側からプリズムを観測した場合、特許文献１の図４に示されるように、凹部の底部は均一の照度の楕円として視認され、凹部の側壁は内周側が黒く、光の臨界角を下回る部位から外周側に向かうに従って徐々に照度が高まるリングとして視認される。換言すれば、上記した凹部の側壁は、外周側から内周側に向かうに従って、徐々に照度が低下するリングとして観測者に視認される。
【０００６】
一般的に、被観測物の照度が一方向に徐々に低下する場合、観測者は、被観測物における照度が徐々に低下する部位が、観測者から徐々に遠ざかるように錯覚する。すなわち、観測者は、被観測物における照度が徐々に低下する部位に奥行きがあるかのように錯覚する。したがって、特許文献１に示されるプリズムを観測した場合、観測者は、上記した凹部の側壁に奥行きがあるかのように錯覚する。
【０００７】
特許文献１の図１に示されるように、特許文献１の表示装置は、表示板の意匠部と凹部の底部とが重なり、且つ、意匠部の背景と凹部の側壁とが重なる構成となっている。したがって、観測者が表示板を観測した場合、観測者は、意匠部の背景に奥行きがあるかのように錯覚する。このように、特許文献１に記載の構成の場合、プリズムの形状を工夫することで、意匠部の背景を立体的に表示する、という効果を奏するようになっている。
【先行技術文献】
【特許文献】
【０００８】
【特許文献１】特開２００５−２５７７９４号公報
【発明の概要】
【発明が解決しようとする課題】
【０００９】
ところで、特許文献１に示される表示装置では、上記したように、意匠部ではなく、意匠部の周りの背景に奥行きがあるように形成することで、意匠部を立体的に表示している。したがって、例えば、表示板が車両のコンビネーションメータに適用され、表示板におけるスピードメータの表示領域（文字盤）の端部に、スピードを表示する文字などの意匠部が配置され、文字盤に特許文献１に記載のプリズムが対向配置される構成の場合、意匠部が立体的に表示されるものの、意匠部を照明する照度が低いので、意匠部の視認性が低下する虞がある。
【００１０】
そこで、本発明は上記問題点に鑑み、文字盤の端部に形成された意匠部を立体的に表示すると共に、該意匠部の視認性が向上された表示装置を提供することを目的とする。
【課題を解決するための手段】
【００１１】
上記した目的を達成するために、請求項１に記載の発明は、光源と、該光源から照射された光を導光する導光部と、該導光部から出射された光によって照明される文字盤と、を備え、光源から照射される光の照射方向において、光源と、導光部と、文字盤とが順次並んで配置された表示装置であって、文字盤は、平板状の半透過板と、該半透過板の一面の端部に形成された不透過の意匠部と、を有し、導光部は、導光した光を文字盤に出射する出射部と、光源から照射された光を出射部に導光する入射部と、を有し、半透過板に、回動することで、意匠部を指す指針が配置され、半透過板に、指針を支える軸を挿通するための挿通孔が、半透過板の一面とその裏面とを貫くように形成され、入射部は、照射方向において、挿通孔と対向するように、出射部の端部に設けられ、半透過板の透過率が、挿通孔から意匠部に向かう方向に徐々に高まるように形成されていることを特徴とする。
【００１２】
このように本発明によれば、導光部は、導光した光を文字盤に出射する出射部と、光源から照射された光を出射部に導光する入射部と、を有する。そして、入射部は、照射方向において、挿通孔と対向するように、出射部の端部に設けられている。この構成の場合、光源から入射部に入射した光は、出射部の入射部側の端部から、出射部における意匠部と対向する部位（以下、意匠部側の部位と示す）に向かって進む。出射部内を進む光の一部は、出射部と外部との境界を介して、外部に出射する。したがって、出射部内を進む光の量は、出射部の入射部側の端部から、意匠部側の部位に向かうに従って徐々に減少する。この結果、出射部から出射される光の照度は、出射部の入射部側の端部から、意匠部側の部位に向かうに従って徐々に低下することとなる。
【００１３】
これに対して、本発明では、半透過板の透過率が、挿通孔から意匠部に向かう方向に徐々に高まるように形成されている。また、入射部は、照射方向において、挿通孔と対向するように、出射部に設けられている。これらによれば、本発明の構成の場合、出射部から出射される光の照度は、出射部の入射部側の端部から意匠部側の部位に向かうに従って徐々に低下するが、出射部から出射される光によって照明される半透過板の照度は、挿通孔から意匠部（半透過板の端部）に向かうに従って徐々に高まるように調整することができる。
【００１４】
一般的に、被観測物の照度が一方向に徐々に低下する場合、観測者は、被観測物における照度が徐々に低下する部位が観測者から遠ざかるように錯覚する。すなわち、観測者は、被観測物における照度が低い部位が遠く、照度が高い部位が近くにあるかのように錯覚する。本発明では、半透過板の透過率を調整することで、半透過板の照度を、挿通孔から意匠部に向かうに従って徐々に高めている。換言すれば、半透過板の照度を、意匠部から挿通孔に向かうに従って徐々に低めている。したがって、本発明の構成の場合、観測者は、挿通孔が遠く、且つ意匠部が近くとなる奥行きが半透過板にあるように錯覚する。この結果、意匠部が立体的に表示される。
【００１５】
また、本発明の意匠部は、光を透過しない性質（不透過）を有している。上記したように、半透過板の照度は、挿通孔から意匠部（半透過板の端部）に向かうに従って徐々に高まる。これによれば、半透過板の端部の照度が高く、その照度の高い半透過板の端部に不透過の意匠部が位置することとなる。この結果、意匠部と半透過板とのコントラストが強まり、意匠部の視認性が向上される。
【００１６】
以上、示したように、請求項１に記載の表示装置は、半透過板（文字盤）の端部に形成された意匠部を立体的に表示すると共に、該意匠部の視認性を向上する、という効果を奏する。
【００１７】
請求項２に記載のように、入射部の光源側の面が平坦であり、入射部の照射方向の長さが挿通孔から意匠部に向かう方向に徐々に長くなるように、入射部の文字盤側の面が傾斜しており、出射部の文字盤側の面が平坦であり、出射部の照射方向の長さが挿通孔から意匠部に向かう方向に徐々に短くなるように、出射部の光源側の面が傾斜しており、出射部の光源側の面の傾斜の変化量が、挿通孔から意匠部に向かう方向に徐々に小さくなる構成が好ましい。
【００１８】
これによれば、入射部内に入射した光が、入射部の文字盤側の面と外部との境界にて出射部側に反射され、反射された光が出射部内に入射する。そして、出射部内に入射した光が、出射部の光源側の面と外部との境界にて出射部の文字盤側の面に反射され、反射された光が出射部の文字盤側の面から出射される。これにより、文字盤が照明される。
【００１９】
請求項２に記載の発明では、出射部の光源側の面の傾斜の変化量が、挿通孔から意匠部に向かう方向に徐々に小さくなっている。したがって、出射部内を進行する光と、出射部の光源側の面に垂直な線とが成す光の入射角度が、挿通孔から意匠部に向かう方向に徐々に大きくなる。一般的に、光の入射角度が大きくなるにつれて、光は反射され易くなる。したがって、請求項２に記載の構成の場合、挿通孔から意匠部に向かうに従って、出射部の光源側の面と外部との境界にて反射され易くなる。この結果、挿通孔から意匠部に向かうに従って、文字盤に出射される光の量が減少する割合が小さくなる。したがって、出射部から出射される光によって照明される半透過板の照度が、挿通孔から意匠部（半透過板の端部）に向かうに従って減少する割合を小さくすることができる。
【００２０】
請求項３に記載のように、半透過板の平面形状は扇状を成し、その扇の中心を貫くように挿通孔が半透過板に形成され、扇を形作る円弧状の端部に沿って、複数の意匠部が順次並んで配置されており、導光部の平面形状が扇状を成し、その扇の中心に入射部が設けられた構成が良い。これによれば、扇の中心から円弧状の端部までの距離が等しいので、複数の意匠部それぞれの照度を一定とすることができる。
【００２１】
請求項４に記載のように、半透過板の一面に、挿通孔から意匠部に向かって放射状に延びる仮想直線に沿うマークが複数形成された構成が好適である。これによれば、挿通孔に複数のマークが集まる焦点が形成される。一般的に、複数の被観測物が一点に集まる場合、すなわち、複数の被観測物によって焦点が形成される場合、観測者は、被観測物における焦点側の部位が遠く、被観測物における焦点から離れた部位が近くにあるかのように錯覚する。したがって、観測者が上記したマークを観測した場合、観測者は、挿通孔が遠く、且つ意匠部が近くとなる奥行きが半透過板にあるように錯覚する。これにより、意匠部がより立体的に表示される。
【００２２】
請求項５に記載のように、マークにおける、指針の回動方向に沿う長さが、挿通孔から意匠部に向かって徐々に長くなる構成が良い。一般的に、被観測物の大きさが一方向に徐々に小さくなる場合、観測者は、被観測物における大きさが徐々に小さくなる部位が観測者から遠ざかるように錯覚する。すなわち、観測者は、被観測物における大きさが徐々に小さくなる部位に奥行きがあるかのように錯覚する。したがって、観測者が上記したマークを観測した場合、観測者は、挿通孔が遠く、且つ意匠部が近くとなる奥行きが半透過板にあるように錯覚する。これにより、意匠部がより立体的に表示される。
【００２３】
請求項６に記載のように、平板状のシートが、出射部を介して、半透過板と対向する位置に設けられており、シートにおける出射部との対向面に、挿通孔から意匠部に向かう方向に、光の反射率が徐々に高まる模様が形成された構成が良い。請求項６に記載の表示装置を観測した場合、観測者は、半透過板と出射部とを介して、シートを観測する。したがって、観測者は、半透過板と出射部とを介して、挿通孔から意匠部に向かう方向に光の反射率が徐々に高まる模様（グラデーション）を観測する。換言すれば、観測者は、半透過板と出射部とを介して、意匠部から挿通孔に向かう方向に光の反射率が徐々に低下するグラデーションを観測する。一般的に、被観測物の反射率が一方向に徐々に低下する場合、観測者は、被観測物における反射率が徐々に低下する部位が観測者から遠ざかるように錯覚する。したがって、観測者が上記したグラデーションを観測した場合、挿通孔が遠く、且つ意匠部が近くとなる奥行きが半透過板にあるように錯覚する。これにより、意匠部がより立体的に表示される。
【００２４】
なお、請求項７に記載のように、請求項１〜６いずれかに記載の表示装置を、車両に適用することができる。その場合、請求項８及び請求項９に記載のように、意匠部は、車両速度や、エンジン回転数を表示するための数字として採用される。
【図面の簡単な説明】
【００２５】
【図１】第１実施形態に係るスピードメータの概略構成を示す分解斜視図である。
【図２】グラデーションシートの斜視図である。
【図３】導光部の斜視図である。
【図４】図３に示すＩＶ−ＩＶ線に沿う断面図である。
【図５】半透過板の斜視図である。
【図６】図５に示す半透過板の透過率を説明するための斜視図である。
【図７】背面光源から導光部に出射された光の進行方向を説明するための断面図である。
【図８】導光部に入射した光の進行を説明するための部分断面図である。
【発明を実施するための形態】
【００２６】
以下、本発明に記載の表示装置を、車両のスピードメータに適用した場合の実施形態を図に基づいて説明する。
（第１実施形態）
図１は、第１実施形態に係るスピードメータの概略構成を示す分解斜視図である。図２は、グラデーションシートの斜視図である。図３は、導光部の斜視図である。図４は、図３に示すＩＶ−ＩＶ線に沿う断面図である。図５は、半透過板の斜視図である。図６は、図５に示す半透過板の透過率を説明するための斜視図である。図７は、背面光源から導光部に出射された光の進行方向を説明するための断面図である。図８は、導光部に入射した光の進行を説明するための部分断面図である。なお、図１に示すように、半透過板５３の面５３ａに沿う方向をｘ方向、面５３ａに沿い且つｘ方向に垂直な方向をｙ方向、面５３ａに交差する方向をｚ方向と示す。このｚ方向が、特許請求の範囲に記載の光の照射方向に相当する。
【００２７】
スピードメータ１００は、光源１０と、回路基板２０と、グラデーションシート３０と、導光部４０と、文字盤５０と、加飾リング６０と、を有する。これら構成要素１０〜６０は、図１に示すように、ｚ方向に順次並んで配置されている。そして、構成要素１０〜６０それぞれの配置位置が、互いに嵌合関係にあるロアカバー９０とケース９１、及び、互いに嵌合関係にあるケース９１とフード９２によって保持されている。光源１０及び回路基板２０は、ロアカバー９０とケース９１とによって構成される収納空間内に収納され、グラデーションシート３０、導光部４０、文字盤５０、及び加飾リング６０は、ケース９１とフード９２とによって構成される収納空間内に収納される。図１に示すように、ケース９１には、光源１０の光を導光部４０や文字盤５０に照射するための開口部９１ａ，９１ｂが形成されており、フード９２には、文字盤５０に形成された意匠部５４や、インジケータマーク５９を外部に表示するための開口部９２ａ，９２ｂが形成されている。
【００２８】
回路基板２０は、平板状のプリント基板２１と、光源１０と、光源１０の点灯と消灯を制御する点灯制御部（図示略）と、指針（図示略）の回動を制御する回動制御部（図示略）と、を有する。光源１０は、導光部４０を介して、後述する第１文字盤５１（半透過板５３）を間接照明する背面光源１１と、導光部４０を介さずに、後述するセグメント５５を直接照明する表示光源１２と、導光部４０を介さずに、インジケータマーク５９を直接照明するインジケータ光源１３と、を有する。図１に示すように、光源１１〜１３それぞれは、プリント基板２１における文字盤５０側の面２１ａに搭載されている。そして、ｚ方向において、背面光源１１は、後述する導光部４０の入射部４２と対向するように、プリント基板２１に複数搭載され、表示光源１２は、セグメント５５と対向するように、プリント基板２１に複数搭載され、インジケータ光源１３は、インジケータマーク５９と対向するように、プリント基板２１に複数搭載されている。
【００２９】
グラデーションシート３０は、半透過板５３に形成された意匠部５４の立体表示を補助するとともに、観測者が、文字盤５０と導光部４０とを介して回路基板２０を観測することを抑止するものである。グラデーションシート３０は、図２に示すように、平板状の不透過シート３１と、該不透過シート３１における導光部４０との対向面３１ａに塗布された、光の反射率が不透過シート３１よりも低いインク３２と、から成る。不透過シート３１は白色であり、インク３２は黒色である。図２に示すように、不透過シート３１は、その平面形状が円形を切り欠いた形状となっており、対向面３１ａにインク３２が塗布されている。インク３２は、公知のスクリーン印刷などによって、後述する半透過板５３に形成された挿通孔５７側の部位３３から円弧状の端部に向かって徐々に濃度が薄くなるように、対向面３１ａに塗布されている。この構成により、不透過シート３１の部位３３から円弧状の端部に向かうに従って、徐々に濃度が薄くなるグラデーションが対向面３１ａに形成されている。換言すれば、不透過シート３１の部位３３から円弧状の端部に向かうに従って、徐々に反射率が高まるグラデーションが対向面３１ａに形成されている。上記したように、不透過シート３１は、一部が切り欠いているが、これは、セグメント５５と表示光源１２とが対向するためである。この切り欠き部は、スピードメータ１００がセグメント５５を有さない場合、不透過シート３１に形成されない。上記した不透過シート３１が、特許請求の範囲に記載のシートに相当し、上記したグラデーションが、特許請求の範囲に記載の模様に相当する。
【００３０】
導光部４０は、背面光源１１から照射された光を半透過板５３に導光するものである。導光部４０は、導光した光を半透過板５３に出射する出射部４１と、背面光源１１から照射された光を、出射部４１に導光する入射部４２と、を有する。図３及び図４に示すように、出射部４１の平面形状は円形を切り欠いた形状となっており、出射部４１における一辺がｚ方向と平行な端面と、入射部４２における出射部４１側の側面の一部とが連結されて、出射部４１と入射部４２とが一体化されている。入射部４２は、挿通孔５７と対向するように配置されている。
【００３１】
入射部４２における半透過板５３との対向面４２ａは、入射部４２における背面光源１１との対向面４２ｂを介して、背面光源１１から入射部４２に入射した光を、入射部４２から出射部４１に全反射するように、ｚ方向に対して所定の角度に傾斜している。対向面４２ｂは平坦となっており、入射部４２のｚ方向の長さ（厚さ）が、挿通孔５７から意匠部５４に向かう方向に徐々に長くなっている。以下、対向面４２ａを斜面４２ａ、対向面４２ｂを入射面４２ｂと示す。
【００３２】
出射部４１における半透過板５３との対向面４１ａは平坦となっており、出射部４１における回路基板２０側の面４１ｂは、出射部４１のｚ方向の長さ（厚さ）が挿通孔５７から意匠部５４に向かう方向に徐々に短くなるように傾斜している。そして、出射部４１の面４１ｂの傾斜の変化量が、挿通孔５７から意匠部５４に向かう方向に徐々に小さくなっている。以下、対向面４１ａを出射面４１ａ、面４１ｂを反射面４１ｂと示す。
【００３３】
なお、反射面４１ｂと不透過シート３１（グラデーションシート３０）の対向面３１ａとが対向している。したがって、出射部４１を介してグラデーションシート３０を観測した場合、観測者は、出射部４１を介して、対向面３１ａに形成されたグラデーションを観測することとなる。また、上記したように、出射部４１は、一部が切り欠いているが、これは、セグメント５５と表示光源１２とが対向するためである。この切り欠き部は、スピードメータ１００がセグメント５５を有さない場合、導光部４０に形成されない。
【００３４】
文字盤５０は、光源１０によって照明されるものである。文字盤５０は、図１に示すように、第１文字盤５１と、第２文字盤５２と、を有する。第１文字盤５１は、半透過板５３と、該半透過板５３に形成された、意匠部５４と、セグメント５５と、マーク５６と、挿通孔５７と、からなる。第２文字盤５２は、不透過板５８と、不透過板５８に形成されたインジケータマーク５９と、からなる。
【００３５】
図５に示すように、上記した意匠部５４は、車両速度を示す数字や記号であり、セグメント５５は、車両の走行距離などを表示するためのものである。マーク５６は、意匠部５４の立体表示を補助するためのものであり、挿通孔５７は、指針を支える軸（図示略）を挿通するためのものである。意匠部５４、セグメント５５、マーク５６それぞれは、半透過板５３における加飾リング６０側の面５３ａに形成されており、意匠部５４は不透過性、セグメント５５は透過性を有する。マーク５６は、挿通孔５７から意匠部５４に向かって放射状に延びる仮想直線に沿う形状を成し、マーク５６における、指針の回動方向（ｚ方向の円周方向）に沿う長さが、挿通孔５７から意匠部５４に向かって徐々に長くなっている。挿通孔５７は、半透過板５３の面５３ａとその裏面５３ｂとを貫通するように形成され、挿通孔５７における面５３ａ側の開口端５７ａと複数の意匠部５４それぞれとの距離が一定となっている。面５３ａが、特許請求の範囲に記載の半透過板の一面に相当する。なお、インジケータマーク５９は、透光性を有しており、インジケータマーク５９と、表示光源１２とによって、インジケータが構成される。
【００３６】
半透過板５３の透過率は、挿通孔５７から意匠部５４に向かう方向に徐々に高まるように形成されている。この透過率は、例えば図６に示すように、透明シート５３ｃの導光部４０側の面（裏面５３ｂ）に、挿通孔５７における裏面５３ｂ側の開口端５７ｂから意匠部５４に向かう方向に徐々に濃度が薄くなるように、公知のスクリーン印刷などによって、グレーインクを塗布することで形成される。なお、図６では、裏面５３ｂの一部にグレーインクが塗布されているが、グレーインクの塗布されていない領域は、セグメント５５の形成領域に相当する。
【００３７】
加飾リング６０は、第１文字盤５１を立体表示するためのものである。加飾リング６０は、第１文字盤５１からフード９２側へ突出するように、フード９２とケース９１とによって構成される収納空間内に収納される。したがって、観測者は、第１文字盤５１よりも観測者側に位置する加飾リング６０とともに、第１文字盤５１を観測することとなる。加飾リング６０と第１文字盤５１に遠近差があるので、観測者は、第１文字盤５１に奥行きがあるかのように錯覚する。これにより、第１文字盤５１が立体表示される。
【００３８】
また、加飾リング６０の内環部には、意匠部５４の立体表示を補助するための突起部が複数設けられている。したがって、観測者は、意匠部５４よりも観測者側に位置する加飾リング６０の内環部に設けられた複数の突起部とともに、意匠部５４を観測する。加飾リング６０の突起部と意匠部５４に遠近差があるので、観測者は、意匠部５４に奥行きがあるかのように錯覚する。これにより、意匠部５４が立体表示される。
【００３９】
次に、導光部４０に入射した光の進行を、図７及び図８に基づいて説明するとともに、本実施形態に係るスピードメータ１００の作用効果を説明する。図７に一点鎖線で示す矢印のように、背面光源１１からは、主としてｚ方向に光が照射される。背面光源１１から照射された光の一部は、入射面４２ｂを介して、入射部４２内に入射する。入射部４２内に入射した光は、図８に一点鎖線で示す矢印のように、斜面４２ａと外部との境界にて全反射されて、入射部４２内から出射部４１内に進行する。出射部４１内に進行した光は、反射面４１ｂと外部との境界にて反射される。反射された光は、出射面４１ａを介して、第１文字盤５１に出射される。このように、第１文字盤５１（半透過板５３）は、反射面４１ｂによって反射された光によって、照明される。
【００４０】
上記したように、出射部４１内を進む光は、出射部４１から外部に出射される。したがって、出射部４１内を進む光の量は、出射部４１の入射部４２側の端部から、意匠部５４側の部位に向かうに従って徐々に減少する。この結果、出射部４１の入射部４２側の端部から、出射部４１における意匠部５４と対向する部位（以下、意匠部５４側の部位と示す）に向かうに従って、出射面４１ａから出射される光の量が徐々に減少する。
【００４１】
しかしながら、上記したように、反射面４１ｂは、出射部４１のｚ方向の長さ（厚さ）が挿通孔５７から意匠部５４に向かう方向に徐々に短くなるように傾斜している。そして、反射面４１ｂの傾斜の変化量が、挿通孔５７から意匠部５４に向かう方向に徐々に小さくなっている。したがって、出射部４１内を進行する光と、反射面４１ｂに垂直な線とが成す光の入射角度が、挿通孔５７から意匠部５４に向かうに方向に徐々に大きくなる。一般的に、光の入射角度が大きくなるにつれて、光は反射され易くなる。したがって、反射面４１ｂの傾斜の場合、挿通孔５７から意匠部５４に向かうに従って、反射面４１ｂと外部との境界にて反射され易くなる。この結果、挿通孔５７から意匠部５４に向かうに従って、第１文字盤５１に出射される光の量が減少する割合が小さくなる。
【００４２】
また、上記したように、半透過板５３の透過率は、挿通孔５７から意匠部５４に向かう方向に徐々に高まるように形成されている。これによれば、出射部４１から出射される光によって照明される半透過板５３の照度が、挿通孔５７から意匠部５４に向かうに従って徐々に高まる。
【００４３】
一般的に、被観測物の照度が一方向に徐々に低下する場合、観測者は、被観測物における照度が徐々に低下する部位が観測者から遠ざかるように錯覚する。すなわち、観測者は、被観測物における照度が低い部位が遠く、照度が高い部位が近くにあるかのように錯覚する。本実施形態では、半透過板５３の透過率を調整することで、半透過板５３の照度を、挿通孔５７から意匠部５４に向かうに従って徐々に高めている。換言すれば、半透過板５３の照度を、意匠部５４から挿通孔５７に向かうに従って徐々に低めている。したがって、観測者は、挿通孔５７が遠く、且つ意匠部５４が近くとなる奥行きが半透過板５３にあるように錯覚する。この結果、意匠部５４が立体的に表示される。
【００４４】
また、意匠部５４は、光を透過しない性質（不透過）を有している。上記したように、半透過板５３の照度は、挿通孔５７から意匠部５４に向かうに従って徐々に高まる。これによれば、半透過板５３における照度の高い部位に不透過の意匠部５４が位置することとなる。この結果、意匠部５４と半透過板５３とのコントラストが強まり、意匠部５４の視認性が向上される。
【００４５】
以上、示したように、本実施形態に係るスピードメータ１００は、半透過板５３の端部に形成された意匠部５４を立体的に表示すると共に、該意匠部５４の視認性を向上する、という効果を奏する。
【００４６】
挿通孔５７の開口端５７ａと複数の意匠部５４それぞれとの距離が一定となっている。そして、入射部４２は、挿通孔５７と対向するように、配置されている。これによれば、意匠部５４の照度を一定とすることができる。
【００４７】
半透過板５３に、挿通孔５７から意匠部５４に向かって放射状に延びる仮想直線に沿うマーク５６が複数形成されている。これによれば、挿通孔５７に複数のマーク５６が集まる焦点が形成される。一般的に、複数の被観測物が一点に集まる場合、すなわち、複数の被観測物によって焦点が形成される場合、観測者は、被観測物における焦点側の部位が遠く、被観測物における焦点から離れた部位が近くにあるかのように錯覚する。したがって、観測者がマーク５６を観測した場合、観測者は、挿通孔５７が遠く、且つ意匠部５４が近くとなる奥行きが半透過板５３にあるように錯覚する。これにより、意匠部５４がより立体的に表示される。
【００４８】
マーク５６における、指針の回動方向（ｚ方向の円周方向）に沿う長さが、挿通孔５７から意匠部５４に向かって徐々に長くなっている。一般的に、被観測物の大きさが一方向に徐々に小さくなる場合、観測者は、被観測物における大きさが徐々に小さくなる部位が観測者から遠ざかるように錯覚する。すなわち、観測者は、被観測物における大きさが徐々に小さくなる部位に奥行きがあるかのように錯覚する。したがって、観測者がマーク５６を観測した場合、観測者は、挿通孔５７が遠く、且つ意匠部５４が近くとなる奥行きが半透過板５３にあるように錯覚する。これにより、意匠部５４がより立体的に表示される。
【００４９】
グラデーションシート３０が、出射部４１を介して、半透過板５３と対向する位置に設けられている。スピードメータ１００を観測した場合、観測者は、半透過板５３と出射部４１とを介して、グラデーションシート３０を観測する。したがって、観測者は、半透過板５３と出射部４１とを介して、挿通孔５７から意匠部５４に向かう方向に光の反射率が徐々に高まる模様（グラデーション）を観測する。換言すれば、観測者は、半透過板５３と出射部４１とを介して、意匠部５４から挿通孔５７に向かう方向に光の反射率が徐々に低下するグラデーションを観測する。一般的に、被観測物の反射率が一方向に徐々に低下する場合、観測者は、被観測物における反射率が徐々に低下する部位が観測者から遠ざかるように錯覚する。したがって、観測者が上記したグラデーションを観測した場合、挿通孔５７が遠く、且つ意匠部５４が近くとなる奥行きが半透過板５３にあるように錯覚する。これにより、意匠部５４がより立体的に表示される。
【００５０】
以上、本発明の好ましい実施形態について説明したが、本発明は上記した実施形態になんら制限されることなく、本発明の主旨を逸脱しない範囲において、種々変形して実施することが可能である。
【００５１】
本実施形態では、本発明に係る表示装置を、車両のスピードメータに適用した例を示した。しかしながら、本発明に係る表示装置は、上記適用例に限定されず、例えば、車両のエンジン回転数を表示するタコメータに適用することができる。
【００５２】
本実施形態では、半透過板５３の平面形状について特に限定しなかった。しかしながら、半透過板５３の平面形状としては、扇状を採用することができる。この場合、扇の中心に挿通孔５７が形成され、扇の円弧状を成す端部に沿って、複数の意匠部５４が順次並んで配置される。なお、この構成の場合、導光部４０の平面形状としては、扇状を採用することができる。この扇の中心に入射部４２が設けられる。
【００５３】
本実施形態では、複数の背面光源１１がプリント基板２１に搭載された例を示した。しかしながら、単数の背面光源１１をプリント基板２１に搭載しても良い。
【符号の説明】
【００５４】
１０・・・光源
１１・・・背面光源
３０・・・グラデーションシート
４０・・・導光部
４１・・・出射部
４１ｂ・・・反射面
４２・・・入射部
５０・・・文字盤
５１・・・第１文字盤
５３・・・半透過板
５４・・・意匠部
５６・・・マーク
１００・・・スピードメータ
【図１】
2011163864.tif 000003
【図２】
2011163864.tif 000004
【図３】
2011163864.tif 000005
【図４】
2011163864.tif 000006
【図５】
2011163864.tif 000007
【図６】
2011163864.tif 000008
【図７】
2011163864.tif 000009
【図８】
2011163864.tif 000010